(57)【要約】  本発明にかかる空気調和機は、運転指示情報を含む赤外線信号を送信するリモートコントローラと、空気調和機本体と、を備え、空気調和機本体は、赤外線信号を透過させ、赤外線波長領域を第１の波長領域とするとき、第１の波長領域における透過率が第１の値以上である黒窓（４）と、赤外線信号を受信する受光素子（３）と、黒窓（４）と受光素子（３）との間に設けられ、第１の波長領域における透過率が第１の値より小さい第２の値以上である白窓（５）と、を備え、白窓（５）の、第１の波長領域より短い波長領域である第２の波長領域における透過率の第１の波長領域における透過率に対する比は、黒窓（４）の、第２の波長領域における透過率の第１の波長領域における透過率に対する比より小さい。
2017158827.tif 000002
【特許請求の範囲】
【請求項１】
運転指示情報を含む赤外線信号を送信する遠隔制御器と、
空気調和機本体と、
を備え、
前記空気調和機本体は、
前記赤外線信号を透過させ、赤外線波長領域を第１の波長領域とするとき、前記第１の波長領域における透過率が第１の値以上である第１の受光窓と、
前記赤外線信号を受信する受光素子と、
前記第１の受光窓と前記受光素子との間に設けられ、前記第１の波長領域における透過率が前記第１の値より小さい第２の値以上である第２の受光窓と、
を備え、
前記第２の受光窓の、前記第１の波長領域より短い波長領域である第２の波長領域における透過率の前記第１の波長領域における透過率に対する比は、前記第１の受光窓の、前記第２の波長領域における透過率の前記第１の波長領域における透過率に対する比より小さいことを特徴とする空気調和機。
【請求項２】
前記第１の受光窓の前記第１の波長領域における透過率は、７０％以上９０％以下であることを特徴とする請求項１に記載の空気調和機。
【請求項３】
前記第２の受光窓の前記第１の波長領域における透過率は、５％未満の値であることを特徴とする請求項１または２に記載の空気調和機。
【請求項４】
前記第１の受光窓および前記第２の受光窓を組み合わせた受光窓の前記第１の波長領域における透過率は、５％以上６％以下であることを特徴とする請求項１、２または３に記載の空気調和機。
【請求項５】
前記第１の受光窓および前記第２の受光窓に対して前記受光素子の受光面の法線が垂直であることを特徴とする請求項１から４のいずれか１つに記載の空気調和機。
【請求項６】
運転指示情報を含む赤外線信号を送信する遠隔制御器と、
空気調和機本体と、
を備え、
前記空気調和機本体は、
前記赤外線信号を透過させる受光窓と、
前記赤外線信号を受信する受光素子と、
を備え、
前記受光窓は、前記受光素子の受光面に対して前記受光素子の受光面の法線が垂直であることを特徴とする空気調和機。
【請求項７】
空気調和機を構成し、運転指示情報を含む赤外線信号を受信する室内機であって、
前記赤外線信号を透過させ、赤外線波長領域を第１の波長領域とするとき、前記第１の波長領域における透過率が第１の値以上である第１の受光窓と、
前記赤外線信号を受信する受光素子と、
前記第１の受光窓と前記受光素子との間に設けられ、前記第１の波長領域における透過率が前記第１の値より小さい第２の値以上である第２の受光窓と、
を備え、
前記第２の受光窓の、前記第１の波長領域より短い波長領域である第２の波長領域における透過率の前記第１の波長領域における透過率に対する比は、前記第１の受光窓の、前記第２の波長領域における透過率の前記第１の波長領域における透過率に対する比より小さいことを特徴とする室内機。
【発明の詳細な説明】
【技術分野】
【０００１】
本発明は、赤外線通信を行う空気調和機および室内機に関する。
【背景技術】
【０００２】
空気調和機では、一般に、リモートコントローラ（以下リモコンという）を用いた制御が行われる。リモコンと空気調和機本体との間では赤外線信号を用いて通信が行われる。特許文献１には、空気調和機本体が、赤外線信号を透過させる赤外線受光窓と、赤外線信号を受信する受光素子とを備える空気調和機が開示されている。特許文献１に開示されている空気調和機では、運転指示信号送信手段から赤外線信号として運転指示信号が送信されると、空気調和機本体は、受光窓を透過した運転指示信号を受光素子により受信する。
【先行技術文献】
【特許文献】
【０００３】
【特許文献１】特開平１１−６９４６６号公報
【発明の概要】
【発明が解決しようとする課題】
【０００４】
近年、空気調和機にデザイン性が要求されており、従来の白色の他にインテリアとして部屋に適合するような濃い色の空気調和機への需要も高まっている。白色の空気調和機には、赤外線を透過させる受光窓として白色の受光窓が使用されていたが、デザイン性の観点から赤外線の受光窓を黒色の受光窓とする場合もある。【０００５】
また、空気調和機がリビングなどの広い部屋で使用される場合には、空気調和機本体は、距離の離れた位置に存在するリモコンから、運転指示情報が含まれている赤外線信号を受信する必要がある。黒色の受光窓を使用する際には、白色の受光窓を用いた場合と同様の通信距離を確保するため、赤外線透過率の高い受光窓を使用する。しかしながら、赤外線透過率が高い黒色の受光窓を使用すると、赤外線透過率が高いことにより、蛍光灯から照射される光がノイズとして受光窓に侵入し、結果として白色の受光窓と同等の通信距離が確保できないという問題があった。【０００６】
本発明は、上記に鑑みてなされたものであって、黒色の受光窓を使用する際に、蛍光灯の照射があった場合でも通信距離を確保することができる空気調和機を得ることを目的とする。
【課題を解決するための手段】
【０００７】
上述した課題を解決し、目的を達成するために、本発明は、運転指示情報を含む赤外線信号を送信する遠隔制御器と、空気調和機本体と、を備え、空気調和機本体は、赤外線信号を透過させ、赤外線波長領域を第１の波長領域とするとき、第１の波長領域における透過率が第１の値以上である第１の受光窓と、赤外線信号を受信する受光素子と、第１の受光窓と受光素子との間に設けられ、第１の波長領域における透過率が第１の値より小さい第２の値以上である第２の受光窓と、を備える。第２の受光窓の、第１の波長領域より短い波長領域である第２の波長領域における透過率の第１の波長領域における透過率に対する比は、第１の受光窓の、第２の波長領域における透過率の第１の波長領域における透過率に対する比より小さい。
【発明の効果】
【０００８】
本発明にかかる空気調和機は、黒色の受光窓を使用する場合において、蛍光灯の照射があった場合でも通信距離を確保することができるという効果を奏する。
【図面の簡単な説明】
【０００９】
【図１】実施の形態１にかかる空気調和機本体の外観図
【図２】実施の形態１の空気調和機の構成例を示す図
【図３】実施の形態１の受光窓および受光素子の断面を模式的に示す図
【図４】実施の形態１の黒窓の透過率特性を示す図
【図５】実施の形態１の白窓の透過率特性を示す図
【図６】実施の形態１の黒窓および白窓を組み合わせた受光窓の透過率特性を示す図
【図７】実施の形態１の蛍光灯から照射される光の周波数成分である蛍光灯スペクトルを示す図
【図８】実施の形態１の黒窓および白窓を通過する各信号の強さを示す模式図
【図９】実施の形態２の受光窓および受光素子の断面を模式的に示す図
【発明を実施するための形態】
【００１０】
以下に、本発明の実施の形態にかかる空気調和機および室内機を図面に基づいて詳細に説明する。なお、この実施の形態によりこの発明が限定されるものではない。
【００１１】
実施の形態１．
図１は、本発明の実施の形態１にかかる空気調和機本体の外観図である。図１に示す空気調和機本体１は、赤外線を透過させる受光窓２を備える。図２は、実施の形態１の空気調和機の構成例を示す図である。実施の形態１の空気調和機は、室内に設置される室内機である空気調和機本体１と、リモートコントローラ２０と、室外機１０とを備える。
【００１２】
図２では、空気調和機本体１およびリモートコントローラ２０の機能構成も記載している。空気調和機本体１は、図２に示すように、制御部１１および通信部１２を備える。通信部１２は、リモートコントローラ２０から送信された信号を受信する受信機である。制御部１１は、リモートコントローラ２０から受信した運転指示信号または空気調和機本体１の図示しないスイッチなどの入力部が操作されることにより入力される制御信号に基づいて空気調和制御を実施する。本実施の形態の空気調和システムにおける空気調和制御のための構成および動作は、一般的な空気調和システムと同様であるため、詳細な説明を省略する。
【００１３】
遠隔制御器であるリモートコントローラ２０は、制御部２１、入力部２２、表示部２３および通信部２４を備える。制御部２１は、入力部２２、表示部２３および通信部２４を制御する。入力部２２は、ボタン、タッチパネルなどであり、ユーザからの入力を受け付ける。表示部２３は、液晶モニタなどであり、ユーザへ提示する情報を表示する。入力部２２は、ユーザに操作されることにより、入力情報を生成する。制御部２１は、入力情報に基づいて空気調和機本体１へ送信するための運転指示情報を生成し、通信部２４へ出力する。通信部２４は、運転指示情報を含んだ運転指示信号を赤外線信号として送信する送信機である。運転指示情報は、運転の開始の指示、冷房および暖房などである運転モード、設定温度、風量などを指示するための制御情報である。
【００１４】
図３は、実施の形態１の受光窓２および受光素子の断面を模式的に示す図である。図３に示す受光窓２および受光素子３は、通信部１２の一部である。リモートコントローラ２０から送信された赤外線信号は、受光窓２を通過し、受光素子３に到達する。受光素子３は、赤外線信号を電気信号に変換し、図２に示した制御部１１へ出力する。制御部１１は、電気信号である運転指示信号に基づいて、空気調和機の制御を行う。受光窓２は、例えば、図１に示すように空気調和機本体１の前面左下部（図４では向かって右下部）に設けられる。受光窓２の位置は、図１の例に限定されない。
【００１５】
図３に示すように、実施の形態１の受光窓２は、外部に露出した黒窓４と黒窓４に隣接し黒窓４の受光素子３側に設けられる白窓５とで構成される。受光窓２には、リモートコントローラ２０から送信された赤外線信号６が入射されるとともに、蛍光灯から照射される光である蛍光灯ノイズ７も入射される。黒窓４とは、赤外線領域における透過率が白窓５より高い材質で構成される受光窓である。
【００１６】
黒窓４は、例えば、アクリル樹脂に黒色の顔料で着色されて形成される。白窓５は、例えば、透明なＰＳ（ポリスチレン）樹脂、ＭＢＳ（メチルメタクリレート・ブタジエン・スチレン）樹脂などに白色の顔料で着色されて形成される。
【００１７】
図４は、黒窓４の透過率特性を示す図である。図５は、白窓５の透過率特性を示す図である。図６は、黒窓４および白窓５を組み合わせた受光窓２の透過率特性を示す図である。図７は、蛍光灯から照射される光の周波数成分である蛍光灯スペクトルを示す図である。
【００１８】
図４から図６では、横軸は波長を示し、縦軸は透過率を示している。図４に示すように、黒窓４の透過率は波長が長くなるにつれて高くなる。黒窓４の赤外線波長領域での透過率の最低値をＡ％とするとき、黒窓４の透過率は赤外線波長領域より波長が短い波長Ｒの付近から、波長の増加に対する透過率の上昇率が急激に高くなっている。これに対し、図５に示すように、白窓５では、波長が長くなるにつれて徐々に透過率が上昇している。図５では、白窓５の赤外線波長領域での透過率の最低値をＢ％として示している。
【００１９】
図７では、横軸は波長を示し、縦軸はスペクトルすなわち光の強度を示している。図７に示すように、蛍光灯スペクトルは、赤外線波長領域では強度は低いが、赤外線波長領域より短い波長領域で強度が高くなっている。なお、黒窓４としては、一般に樹脂などの素材に染料などの着色材を用いて着色がなされた材質が用いられる。このため、着色剤の量などにより黒窓４全体の透過率の調整を行うことはできるが、透過率は全体的に上下させることはできても波長ごとに調整することは難しい。
【００２０】
受光窓を黒窓４単体で構成し、赤外線波長領域での透過率が大きくなるように材質を調整した黒窓４に用いた場合、蛍光灯ノイズ７も多くなり、受信性能が劣化する。特に黒窓４では、赤外線波長領域より短い波長の蛍光灯ノイズ７の影響が白窓５に比べて大きくなる。一方、受光窓を黒窓４単体で構成し、赤外線波長領域での透過率が小さくなるように材質を調整した黒窓４に用いた場合、赤外線信号６も小さくなり、リモートコントローラ２０と空気調和機本体１との間の距離が大きくなると受光素子３において必要とされる信号の強さに対して実際に入射される信号の強さが不足し、受光素子３による受信ができなくなる。このように、受光窓を黒窓４単体で構成した場合、所望の通信距離を確保することが困難になる場合がある。
【００２１】
そこで、実施の形態１では、黒窓４と受光素子３の間に、実績のある白窓５を入れる。これにより、図５に示すように、黒窓４単体の場合に比べ、赤外線波長領域の透過率に対する赤外線波長領域より短い波長領域での透過率の割合を低下させることができる。これにより、赤外線波長領域での透過率を高めた上で、蛍光灯ノイズ７を低下させることができる。図６では、黒窓４＋白窓５を用いた場合の、赤外線波長領域での透過率の最低値をＣ％として示している。
【００２２】
図８は、黒窓４および白窓５を通過する各信号の強さを示す模式図である。図８の縦軸は信号すなわち光の強度を示している。図８では、黒窓４および白窓５をそれぞれ通過することによる各信号の強さの低下の様子と受光素子３に入射される信号の強度を模式的に示している。赤外線信号強さ３１は、運転指示情報を含んだ赤外線信号の強さを示し、蛍光灯ノイズの強さ３２は、蛍光灯ノイズ７の強さを示し、要求される強さ３３は、受光素子３に必要とされる信号の強さを示す。図８に示すように、赤外線信号強さ３１に対する蛍光灯ノイズの強さ３２の比率は、黒窓４および白窓５を通過した後の方が、黒窓４を通過し白窓５を通過する前より小さくなっている。このように、黒窓４単体ではなく黒窓４および白窓５を用いることで、赤外線信号強さ３１に対する蛍光灯ノイズの強さ３２の比率を低下させつつ、受光素子３に必要とされる信号の強さを確保することができる。
【００２３】
黒窓４および白窓５の透過率の設定は、黒窓４と白窓５を組み合わせた赤外線波長の領域における透過率Ｃ％が、所望の透過率となるようにする。所望の透過率は、例えば、所望の通信距離を実現するために必要な光の強さが受光素子３に入射される透過率である。一般的な白窓の単体時の透過率は、この所望の透過率の要求を満たしていることから、実施の形態１の黒窓４および白窓５の透過率を、一般的な白窓の単体時の透過率と同等な値とする。なお、一般に白窓の単体時の透過率は５％〜６％程度である。黒窓４としては、黒窓４単体時の赤外線波長の領域における透過率が７０％〜９０％程度といった透過率の材質を用いることにより、黒窓４の通過時に赤外線信号の強さを可能な限り低減させないようにする。上述したように、黒窓４と白窓５とを組み合わせた場合の一般的な白窓単体時の透過率と同等になるように設定するため、白窓５単体時の赤外線波長の領域の透過率は、黒窓４の存在により信号の強さが低減される分だけ一般的な白窓より透過率を大きく設定する。
【００２４】
すなわち、第１の受光窓である黒窓４は、第１の波長領域を赤外線の波長領域とするとき、第１の波長領域における透過率が第１の値以上である。第２の受光窓である白窓５は、第１の波長領域における透過率が第１の値より小さい第２の値以上である。黒窓４の第１の波長領域における透過率は上述したように、例えば７０％以上９０％以下である。白窓５の第１の波長領域における透過率は、上述したように、一般的な白窓の第１の波長領域における透過率である５％〜６％より低減されるため、例えば５％未満である。また、黒窓４および白窓５を組み合わせた受光窓２の赤外線波長領域における透過率は、例えば、５％以上６％以下である。また、白窓５の、第１の波長領域より短い波長領域である第２の波長領域における透過率の第１の波長領域における透過率に対する比は、黒窓４の、第２の波長領域における透過率の第１の波長領域における透過率に対する比より小さい。第２の波長領域は、例えば、蛍光灯ノイズ７が大きくなるような波長領域である。このような黒窓４と白窓５を組み合わせることにより、デザインを損なうこと無く、赤外線信号の受信性能を向上させることができ、所望の通信距離を確保することができる。
【００２５】
以上のように、本実施の形態では、黒窓４と受光素子３との間に白窓５を設け、黒窓４および白窓５の透過率が所望の値となるようにした。このため、デザイン上、受光窓を黒色にしなければならない場合でも、デザインを損なうこと無く、赤外線信号の受信性能を向上させることができ、所望の通信距離を確保することができる。
【００２６】
実施の形態２．
図９は、実施の形態２の受光窓および受光素子の断面を模式的に示す図である。本実施の形態の空気調和機本体は、受光窓２を受光窓２ａに替え、受光窓２ａおよび受光素子３の配置を以下に述べる配置とする以外は実施の形態１と同様である。以下、実施の形態１と異なる部分を説明する。
【００２７】
実施の形態１では、受光窓２として黒窓４および白窓５を用いたが、実施の形態２の受光窓２ａは、実施の形態１と同様の黒窓４および白窓５で構成されてもよいし、黒窓４単体でもよい。
【００２８】
図９に示すように、実施の形態２では、空気調和機本体に内蔵された受光素子３と受光窓２ａは、受光窓２ａに対して受光素子３の受光面の法線が垂直となるように配置される。すなわち、受光窓２ａと受光素子３の受光面とが平行となるように配置される。これにより、受光窓２ａにおける受光範囲を可能な限り広くすることができるため、受光素子３に入射される赤外線信号の強さを大きくすることができる。
【００２９】
以上のように受光素子３を受光窓２ａに対して垂直に配置することで、受光窓２ａの受光範囲を可能な限り広くすることができるため、赤外線信号の受光性能を向上させることができ、所望の通信距離を確保することができる。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  空気調和機本体、２，２ａ  受光窓、３  受光素子、４  黒窓、５  白窓、１０  室外機、１１  制御部、１２  通信部、２０  リモートコントローラ、２１  制御部、２２  入力部、２３  表示部、２４  通信部。
【図１】
2017158827.tif 000003
【図２】
2017158827.tif 000004
【図３】
2017158827.tif 000005
【図４】
2017158827.tif 000006
【図５】
2017158827.tif 000007
【図６】
2017158827.tif 000008
【図７】
2017158827.tif 000009
【図８】
2017158827.tif 000010
【図９】
2017158827.tif 000011
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
運転指示情報を含む赤外線信号を送信する遠隔制御器と、
空気調和機本体と、
を備え、
前記空気調和機本体は、
前記赤外線信号を透過させ、赤外線波長領域を第１の波長領域とするとき、前記第１の波長領域における透過率が第１の値以上である第１の受光窓と、
前記赤外線信号を受信する受光素子と、
前記第１の受光窓と前記受光素子との間に設けられ、前記第１の波長領域における透過率が前記第１の値より小さい第２の値以上である第２の受光窓と、
を備え、
前記第２の受光窓の、前記第１の波長領域より短い波長領域である第２の波長領域における透過率の前記第１の波長領域における透過率に対する比は、前記第１の受光窓の、前記第２の波長領域における透過率の前記第１の波長領域における透過率に対する比より小さいことを特徴とする空気調和機。
【請求項２】
前記第１の受光窓の前記第１の波長領域における透過率は、７０％以上９０％以下であることを特徴とする請求項１に記載の空気調和機。
【請求項３】
前記第２の受光窓の前記第１の波長領域における透過率は、５％未満の値であることを特徴とする請求項１または２に記載の空気調和機。
【請求項４】
前記第１の受光窓および前記第２の受光窓を組み合わせた受光窓の前記第１の波長領域における透過率は、５％以上６％以下であることを特徴とする請求項１、２または３に記載の空気調和機。
【請求項５】
前記第１の受光窓および前記第２の受光窓に対して前記受光素子の受光面の法線が垂直であることを特徴とする請求項１から４のいずれか１つに記載の空気調和機。
【請求項６】
空気調和機を構成し、運転指示情報を含む赤外線信号を受信する室内機であって、
前記赤外線信号を透過させ、赤外線波長領域を第１の波長領域とするとき、前記第１の波長領域における透過率が第１の値以上である第１の受光窓と、
前記赤外線信号を受信する受光素子と、
前記第１の受光窓と前記受光素子との間に設けられ、前記第１の波長領域における透過率が前記第１の値より小さい第２の値以上である第２の受光窓と、
を備え、
前記第２の受光窓の、前記第１の波長領域より短い波長領域である第２の波長領域における透過率の前記第１の波長領域における透過率に対する比は、前記第１の受光窓の、前記第２の波長領域における透過率の前記第１の波長領域における透過率に対する比より小さいことを特徴とする室内機。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
運転指示情報を含む赤外線信号を送信する遠隔制御器と、
空気調和機本体と、
を備え、
前記空気調和機本体は、
前記赤外線信号を透過させ、赤外線波長領域を第１の波長領域とするとき、前記第１の波長領域における透過率が第１の値以上である第１の受光窓と、
前記赤外線信号を受信する受光素子と、
前記第１の受光窓と前記受光素子との間に設けられ、前記第１の波長領域における透過率が前記第１の値より小さい第２の値以上である第２の受光窓と、
を備え、
前記第２の受光窓の、前記第１の波長領域より短い波長領域である第２の波長領域における透過率の前記第１の波長領域における透過率に対する比は、前記第１の受光窓の、前記第２の波長領域における透過率の前記第１の波長領域における透過率に対する比より小さいことを特徴とする空気調和機。
【請求項２】
前記第１の受光窓の前記第１の波長領域における透過率は、７０％以上９０％以下であることを特徴とする請求項１に記載の空気調和機。
【請求項３】
前記第１の受光窓および前記第２の受光窓を組み合わせた受光窓の前記第１の波長領域における透過率は、５％以上６％以下であることを特徴とする請求項１または２に記載の空気調和機。
【請求項４】
前記第１の受光窓および前記第２の受光窓に対して前記受光素子の受光面の法線が垂直であることを特徴とする請求項１から３のいずれか１つに記載の空気調和機。
【請求項５】
空気調和機を構成し、運転指示情報を含む赤外線信号を受信する室内機であって、
前記赤外線信号を透過させ、赤外線波長領域を第１の波長領域とするとき、前記第１の波長領域における透過率が第１の値以上である第１の受光窓と、
前記赤外線信号を受信する受光素子と、
前記第１の受光窓と前記受光素子との間に設けられ、前記第１の波長領域における透過率が前記第１の値より小さい第２の値以上である第２の受光窓と、
を備え、
前記第２の受光窓の、前記第１の波長領域より短い波長領域である第２の波長領域における透過率の前記第１の波長領域における透過率に対する比は、前記第１の受光窓の、前記第２の波長領域における透過率の前記第１の波長領域における透過率に対する比より小さいことを特徴とする室内機。
【手続補正２】
【補正対象書類名】明細書
【補正対象項目名】００２１
【補正方法】変更
【補正の内容】
【００２１】
そこで、実施の形態１では、黒窓４と受光素子３の間に、実績のある白窓５を入れる。これにより、図６に示すように、黒窓４単体の場合に比べ、赤外線波長領域の透過率に対する赤外線波長領域より短い波長領域での透過率の割合を低下させることができる。これにより、赤外線波長領域での透過率を高めた上で、蛍光灯ノイズ７を低下させることができる。図６では、黒窓４＋白窓５を用いた場合の、赤外線波長領域での透過率の最低値をＣ％として示している。
【手続補正３】
【補正対象書類名】明細書
【補正対象項目名】００２３
【補正方法】変更
【補正の内容】
【００２３】
黒窓４および白窓５の透過率の設定は、黒窓４と白窓５を組み合わせた赤外線波長の領域における透過率Ｃ％が、所望の透過率となるようにする。所望の透過率は、例えば、所望の通信距離を実現するために必要な光の強さが受光素子３に入射される透過率である。一般的な白窓の単体時の透過率は、この所望の透過率の要求を満たしていることから、実施の形態１の黒窓４および白窓５の透過率を、一般的な白窓の単体時の透過率と同等な値とする。なお、一般に白窓の単体時の透過率は５％〜６％程度である。黒窓４としては、黒窓４単体時の赤外線波長の領域における透過率が７０％〜９０％程度といった透過率の材質を用いることにより、黒窓４の通過時に赤外線信号の強さを可能な限り低減させないようにする。上述したように、黒窓４と白窓５とを組み合わせた場合の透過率を一般的な白窓単体時の透過率と同等になるように設定するため、白窓５単体時の赤外線波長の領域の透過率は、黒窓４の存在により信号の強さが低減される分だけ一般的な白窓より透過率を大きく設定する。
【手続補正４】
【補正対象書類名】明細書
【補正対象項目名】００２４
【補正方法】変更
【補正の内容】
【００２４】
すなわち、第１の受光窓である黒窓４は、第１の波長領域を赤外線の波長領域とするとき、第１の波長領域における透過率が第１の値以上である。第２の受光窓である白窓５は、第１の波長領域における透過率が第１の値より小さい第２の値以上である。黒窓４の第１の波長領域における透過率は上述したように、例えば７０％以上９０％以下である。白窓５の第１の波長領域における透過率は、上述したように、一般的な白窓の第１の波長領域における透過率である５％〜６％より低減されるため、例えば５％より大きい。また、黒窓４および白窓５を組み合わせた受光窓２の赤外線波長領域における透過率は、例えば、５％以上６％以下である。また、白窓５の、第１の波長領域より短い波長領域である第２の波長領域における透過率の第１の波長領域における透過率に対する比は、黒窓４の、第２の波長領域における透過率の第１の波長領域における透過率に対する比より小さい。第２の波長領域は、例えば、蛍光灯ノイズ７が大きくなるような波長領域である。このような黒窓４と白窓５を組み合わせることにより、デザインを損なうこと無く、赤外線信号の受信性能を向上させることができ、所望の通信距離を確保することができる。
【手続補正５】
【補正対象書類名】明細書
【補正対象項目名】００２９
【補正方法】変更
【補正の内容】
【００２９】
以上のように受光素子３を受光窓２ａに対して垂直に配置することで、受光窓２ａの受光範囲を可能な限り広くすることができるため、赤外線信号の受信性能を向上させることができ、所望の通信距離を確保することができる。
【国際調査報告】
2017158827.tif 000012
2017158827.tif 000013
2017158827.tif 000014
2017158827.tif 000015